Podtech/llm-jp-corpus-v4-ja_patent huggingface dataset:
【誤訳訂正書】
【提出日】平成21年5月22日(2009.5.22)
【誤訳訂正１】
【訂正対象書類名】特許請求の範囲
【訂正対象項目名】全文
【訂正方法】変更
【訂正の内容】
【特許請求の範囲】
【請求項１】
管状の長軸（１２）と、前記長軸（１２）の先端に結合されるフィルタ（１１，１１１）とを有する血管内フィルタ装置（１０，１１０）において、
前記長軸（１２）の内部を貫通して前記フィルタ（１１，１１１）に達する吸引管腔（２６）が形成され、前記吸引管腔（２６）は前記フィルタ（１１，１１１）上に収集された破片を吸引し、
前記フィルタ（１１）は、前記長軸（１２）の先端に結合されるフィルタ枠（２２）と、前記フィルタ枠（２２）に結合されるフィルタ材料（２０）とを含み、前記フィルタ材料（２０）は、血液の流通は許容するが、生体の管或いは腔を浮遊する破片或いは塞栓の流通は制限する孔或いは開口を有し、
前記フィルタ（１１，１１１）は拡張形状と縮小形状とに移行され、前記拡張形状の前記フィルタ（１１，１１１）は円柱状であり、前記長軸（１２）が延びる方向の前記フィルタ（１１，１１１）の寸法を、前記フィルタの直径（Ｄ）と称し、前記長軸（１２）が延びる方向に対して垂直な方向の前記フィルタ（１１，１１１）の寸法を、前記フィルタの長さ（Ｌ）と称すると、前記拡張形状の前記フィルタ（１１，１１１）の直径（Ｄ）は、前記フィルタの長さ（Ｌ）よりも大きく形成されることを特徴とする、血管内フィルタ装置。
【請求項２】
前記フィルタ（１１）は、外筒（１４）内に折畳可能であり、前記外筒（１４）を引き込むことによって前記フィルタ（１１）は拡張形状に移行させられる、請求項１記載の血管内フィルタ装置。
【請求項３】
前記血管内フィルタ装置（１１０）は更に、前記長軸（１２）内に滑動可能に配置される拡張部材（１３２）を有し、前記フィルタ（１１１）は、前記拡張部材（１３２）の先端移動によって拡張させられ、前記拡張部材（１３２）の末端移動によって折り畳まれる、請求項１記載の血管内フィルタ装置。
【請求項４】
前記拡張部材（１３２）は、真直な末端部（１３４）と、コイル状の先端部（１３６）とを含み、前記フィルタ（１１１）は、前記先端部（１３６）が拡張することによって縮小形状から拡張形状に移行させられる、請求項３記載の血管内フィルタ装置。
【請求項５】
前記先端部（１３６）は、超弾性合金製であり、前記先端部（１３６）は熱の設定により拡張させられる、請求項４記載の血管内フィルタ装置。
【請求項６】
前記拡張部材（１３２）は、放射線不透過性材料製である、請求項３記載の血管内フィルタ装置。
【請求項７】
前記フィルタ（１１，１１１）の前記長さ（Ｌ）は、２．５ｍｍ未満である、請求項１記載の血管内フィルタ装置。
【請求項８】
前記フィルタ（１１，１１１）の前記長さ（Ｌ）は、腎動脈の一部と腎臓の接合部において使用可能な長さである、請求項１記載の血管内フィルタ装置。
【誤訳訂正２】
【訂正対象書類名】明細書
【訂正対象項目名】００１１
【訂正方法】変更
【訂正の内容】
【００１１】
フィルタ１１は円板形状及び／又は円柱状に形成される。円柱形状のフィルタ１１は直径Ｄ及び長さＬを有する。フィルタ１１が一般的な円錐形状のフィルタとは異なる形状を有するように、直径Ｄは概して長さＬよりも大きい。このような比較的短い或いは僅かな長さを有する特徴は、当該技術分野に属する者に対しては短ランディング域を有するとして記述される。短ランディング域を有することにより、比較的短い或いは従来のフィルタでは接近不能であった血管内位置においてもフィルタ１１を利用することができる。例えば、腹大動脈と腎臓の間にある腎動脈の一部の長さは比較的短い。腎動脈と腎臓の接合部における診断或いはその他の処置は、円錐形状を有するフィルタを利用すると容易に実施することができない。なぜならば、フィルタは腎臓内まで延出してしまい、腎臓に損傷を与えかねないからである。フィルタ１１は上述の形状を有することから、フィルタ１１を使用することによりこのような位置に接近して濾過することができる。フィルタ１１の形状により、多くの他の血管内位置においても同様に有益である。
【誤訳訂正３】
【訂正対象書類名】明細書
【訂正対象項目名】００１４
【訂正方法】変更
【訂正の内容】
【００１４】
使用に際して、フィルタ１１は外筒１４内に収容されるとともに、血管２８内を病巣３０付近の領域まで前進させられる。血管２８は例えば腹大動脈と腎臓の間にある腎動脈である。外筒１４は一旦配置させられるとフィルタ１１から引き込められ、フィルタ１１は拡張形状へ移行させられる。治療用或いは診断用カテーテルが病巣３０へ（即ち、軸１２或いは外筒１４を越えて）前進させられる。処置により解放された塞栓破片はフィルタ材料２０により捕獲される。吸引管腔２６は破片をフィルタ材料２０から吸引するために使用される。
【誤訳訂正４】
【訂正対象書類名】明細書
【訂正対象項目名】００１８
【訂正方法】変更
【訂正の内容】
【００１８】
フィルタ１１１を拡張させるために、先端部１３６は軸１２内において概して密接した
コイル状とされており、先端部１３６が軸１２から遠位に前進させられると、図３に示すように先端部１３６が拡張することによりフィルタ１１１が拡張する。形状記憶合金或いはニッケルチタン合金等の超弾性合金により拡張部材１３２（或いは少なくとも先端部１３６）を形成するのであれば有益である。本実施形態によれば、先端部１３６の寸法及び／又は形状は、熱で設定される先端部１３６により所望の直径及び長さとなるように予め定められている。本発明の幾つかの実施形態では拡張部材１３２の別の寸法及び形状を採用する。例えば、拡張部材１３２は熱の設定により拡張させられるものであり、フィルタ１１１はある処置においてはより大きな直径を有し、別の処置においてはより小さな直径を有する。
【手続補正書】
【提出日】平成21年1月6日(2009.1.6)
【手続補正１】
【補正対象書類名】特許請求の範囲
【補正対象項目名】全文
【補正方法】変更
【補正の内容】
【特許請求の範囲】
【請求項１】
γ-ブチロラクトンを含む溶媒中のポリウレタンウレアの溶液。
【請求項２】
溶媒が、10〜80wt%のγ-ブチロラクトンを含むことを特徴とする請求項1のいずれかに記載の溶液。
【請求項３】
溶液が、15〜60wt%の溶解したポリウレタンウレアを含むことを特徴とする請求項1または2に記載の溶液。
【請求項４】
溶液が、20〜40wt%の溶解したポリウレタンウレア、および低分子アルコールと混合した15〜50wt%のγ-ブチロラクトンを、任意にエステルおよびケトンと共に、含むことを特徴とする請求項1〜3のいずれかに記載の溶液。
【請求項５】
溶液が、20〜40wt%の溶解したポリウレタンウレア、およびエタノール、n-プロパノール、イソプロパノールおよび1-メトキシプロパノールから成る群から選択される低分子アルコールと混合した15〜50wt%のγ-ブチロラクトンを、任意に酢酸ブチル、アセトン、メチルエチルケトンおよびメチルイソブチルケトンから成る群から選択されるエステルおよびケトンと共に、含むことを特徴とする請求項1〜4のいずれかに記載の溶液。
【請求項６】
溶液に含まれるポリウレタンウレアが、
a)  ポリエーテルジオール、ポリエステルジオールおよびポリカーボネートジオールから成る群から選択され、600〜4000の間の分子量を有し、1.8〜2.2の平均官能価を有する直鎖マクロジオール、または前記マクロジオール成分の混合物、もしくは前記マクロジオールのいずれかと50〜500の分子量を有する低分子脂肪族ジオールとの混合物、
b)  鎖延長剤としての、ジオール1モル当たり0.5〜2.0モルの脂肪族または脂環式ジアミンもしくはヒドラジン、および
c)  マクロジオール1モル当たり1.5〜3.0モルの脂肪族、脂環式または芳香族ジイソシアネート
から合成されることを特徴とする請求項1〜5のいずれかに記載の溶液。
【請求項７】
基材を被覆するための請求項1〜6のいずれかに記載の溶液の使用。
【請求項８】
溶液が、印刷、噴霧、ナイフコーティングまたは転写コーティングによって基材に塗布されることを特徴とする請求項7に記載の使用。
【請求項９】
基材が繊維製品であることを特徴とする請求項7および8に記載の使用。
【請求項１０】
基材が革製品であることを特徴とする請求項7および8に記載の使用。
【請求項１１】
ポリウレタンウレア溶液の調製のための、γ-ブチロラクトンまたはγ-ブチロラクトンを含む溶媒混合物の使用。
【手続補正２】
【補正対象書類名】明細書
【補正対象項目名】０００１
【補正方法】変更
【補正の内容】
【０００１】
本発明は、ポリウレタンウレアのγ-ブチロラクトン中の溶液またはγ-ブチロラクトンと毒物学的に許容される有機溶媒との混合物中の溶液、これらのポリウレタンウレア溶液を使用して基材を被覆する方法、および上記の方法によって被覆された基材に関する。
【手続補正３】
【補正対象書類名】明細書
【補正対象項目名】００１３
【補正方法】変更
【補正の内容】
【００１３】
場合により有機溶媒の混合物であり得る溶媒中における本発明によるポリウレタンウレア溶液は、好ましくは15〜60wt%の固形分、特に好ましくは20〜40wt%の固形分を含み、この溶液は、アルコール、エステルおよびケトンなどの他の溶媒と合わせた溶液全体に対して、好ましくは10〜80wt%、特に好ましくは15〜50wt%のγ-ブチロラクトンを含有する。
【手続補正４】
【補正対象書類名】明細書
【補正対象項目名】００９３
【補正方法】変更
【補正の内容】
【００９３】
このポリウレタンウレア溶液は、実施例1に記載のとおりに調製されるが、実施例1に対して以下の変更が加えられる：
・γ-ブチロラクトンに代えて同量の酢酸ブチルを用いる。
・1gのn-ブチルアミンに代えて6.5gの(3-アミノプロピル)トリエトキシシランを用いて、残留するNCO基をブロックする。
【手続補正５】
【補正対象書類名】明細書
【補正対象項目名】０１１９
【補正方法】変更
【補正の内容】
【０１１９】
実施例24：使用例
被覆性を比較するために、実施例16、実施例17および比較例20（トルエンを含む）によるポリウレタン溶液を使用して層厚0.15mmの塗膜を製造し、それらを試験した。
【手続補正６】
【補正対象書類名】明細書
【補正対象項目名】０１２０
【補正方法】変更
【補正の内容】
【０１２０】
【表３】
2008531772.tif 000001
【手続補正書】
【提出日】平成21年2月18日(2009.2.18)
【手続補正１】
【補正対象書類名】特許請求の範囲
【補正対象項目名】全文
【補正方法】変更
【補正の内容】
【特許請求の範囲】
【請求項１】
下記式：
【化１】
2008531701.tif 000001
または
その薬学的に許容される塩、エスエル、溶媒和物、立体異性体、互変異性体もしくはプロドラッグ。
【請求項２】
治療的有効量の請求項１記載の化合物を、薬学的に許容される担体と一緒に含む、医薬組成物。
【請求項３】
抗菌学的有効量の請求項１記載の化合物と薬学的に許容される担体とを含む、抗菌治療を必要とする哺乳動物の治療のための組成物。
【請求項４】
転位バンコマイシンまたはデスメチル−バンコマイシン化合物：
【化２】
2008531701.tif 000002
を、
（ａ）該化合物のアミノ置換糖部分におけるアミノ置換基の、構造−Ｃ（＝Ｏ）ＣＲ７Ｒ７ａＮＲ８Ｒ８ａを有するアシル基によるアシル化、
（ｂ）該化合物のアミノ置換糖部分におけるアミノ置換基の、構造−Ｃ（＝Ｏ）Ｒ６を有するアシル基によるアシル化、
（ｃ）該化合物のアミノ置換糖部分におけるアミノ置換基の、構造ＣＨＲ５Ｒ５ａを有するアルキル基によるアルキル化、
（ｄ）該化合物の大環状の環上の酸部分の、Ｒ２によって定義される置換アミドによる変換、
（ｅ）（ａ）と（ｄ）との組み合わせ、
（ｆ）（ｂ）と（ｄ）との組み合わせ、
（ｇ）（ｃ）と（ｄ）との組み合わせ、
からなる群から選択される技術によって修飾し、式：
【化３】
2008531701.tif 000003
（式中、Ｒ１、Ｒ２、Ｒ３、Ｒ４、Ｒ５、Ｒ５ａ、Ｒ６、Ｒ７、Ｒ７ａ、Ｒ８、およびＲ８ａは、本明細書で定義した意味を有する）
を有する化合物を形成させることを含む、請求項１記載の化合物の製造方法。
【手続補正書】
【提出日】平成21年3月2日(2009.3.2)
【手続補正１】
【補正対象書類名】特許請求の範囲
【補正対象項目名】全文
【補正方法】変更
【補正の内容】
【特許請求の範囲】
【請求項１】
薬理学的剤が核内受容体と相互作用しかつＳＯＤタンパク質をコードする遺伝子の転写を阻害するように、該剤に細胞に投与することを含んでなり、該剤がピリメタミン若しくはその機能的アナログである、細胞中のＳＯＤタンパク質の産生の低下方法。
【手続補正書】
【提出日】平成21年2月23日(2009.2.23)
【手続補正１】
【補正対象書類名】特許請求の範囲
【補正対象項目名】全文
【補正方法】変更
【補正の内容】
【特許請求の範囲】
【請求項１】
（ａ）ＩＳＯ１３４６８−２に基づく（４ｍｍ厚における）光透過率８８．５％以上を有する透明ポリカーボネート、組成物の総重量に基づいて８０〜９９．９９ｗｔ．％および
（ｂ）（ｉ）コア／シェルモルホロジー
（ｉｉ）粒径１〜１００μｍ、および
（ｉｉｉ）前記透明ポリカーボネートの屈折率と異なる屈折率
を有するポリ（メタ）アクリレート粒子、組成物の総重量に基づいて０．０１〜２０ｗｔ．％
を含有し、アンタントロン、アントラキノン、ベンゾイミダゾール、ジケトピロロピロール、イソインドリノール、ペリノン、ペリレン、フタロシアニン、キナクリドン、キノフタロンおよびそれらの組み合わせからなる群から選択される着色剤フリーである組成物から製造されるソリッドシート。
【請求項２】
前記組成物が、更に、ビス−ベンゾオキサゾール、フェニルクマリン、ビス−スチリルビフェニルおよびそれらの組み合わせからなる群から選択される蛍光増白剤０．００１〜０．２ｗｔ．％を含有する、請求項１記載のソリッドシート。
【請求項３】
前記組成物が、更に、ベンゾトリアゾール誘導体、二量体ベンゾトリアゾール誘導体、トリアジン誘導体、二量体トリアジン誘導体、ジアリールシアノアリーレートおよびそれらの組み合わせからなる群から選択されるＵＶ吸収剤０．０１〜０．５ｗｔ．％を含有する、請求項１記載のソリッドシート。
【請求項４】
少なくとも一つの表面を有し、更に少なくとも一つの表面上にＵＶ保護層を備え、該ＵＶ保護層が少なくとも一種類のＵＶ吸収剤を同時押出層の重量に基づいて０．１〜２０ｗｔ．％の量で含有する少なくとも一つの同時押出層を含有する、請求項１記載のソリッドシート。
【請求項５】
請求項１記載のソリッドシートを備えるディフューザーシートを備えるフラットスクリーン。
【手続補正書】
【提出日】平成21年2月10日(2009.2.10)
【手続補正１】
【補正対象書類名】特許請求の範囲
【補正対象項目名】全文
【補正方法】変更
【補正の内容】
【特許請求の範囲】
【請求項１】
ａ）ビークルおよびｂ）結合した少なくとも１つのポリマー基を有する顔料を含むポリマー改質顔料、を含むインクジェットインク組成物、
該ポリマー改質顔料は、
ａ）改質顔料から少なくとも１つの重合性モノマーを重合させること、該重合性モノマーの少なくとも１種が反応性官能基を含む、及び
ｂ）該反応性官能基の少なくとも一部分を第２の基に転化すること、
のステップを含む工程によって調製される。
【請求項２】
該第２の基が、イオン性基であり、そして該ポリマー基が、イオン性ポリマー基である請求項１のインクジェットインク組成物。
【請求項３】
該反応性官能基が、イオン化可能な基である請求項２のインクジェットインク組成物。
【請求項４】
該反応性官能基が、カチオン化可能な基であり、そして該イオン性基が、カチオン性基である請求項３のインクジェットインク組成物。
【請求項５】
該反応性官能基の少なくとも一部分を転化する該ステップが、該カチオン化可能な基の少なくとも一部分を四級化することを含む請求項４のインクジェットインク組成物。
【請求項６】
該反応性官能基の少なくとも一部分を転化する該ステップが、該カチオン化可能な基の少なくとも一部分をプロトン化することを含む請求項４のインクジェットインク組成物。
【請求項７】
該カチオン化可能な基が、アミノ基であり、そして該カチオン性基が、第四級アンモニウム基である請求項４のインクジェットインク組成物。
【請求項８】
該イオン化可能な基が、カルボン酸基である請求項３のインクジェットインク組成物。
【請求項９】
該反応性官能基が、加水分解可能エステル基であり、そして該イオン性基が、アニオン性基である請求項２のインクジェットインク組成物。
【請求項１０】
該反応性官能基の少なくとも一部分を転化する該ステップが、該加水分解可能エステル基の少なくとも一部分を加水分解することを含む請求項９のインクジェットインク組成物。
【請求項１１】
該反応性官能基が、脱アルキル化されることが可能なエステル基であり、そして該イオン性基が、アニオン性基である請求項２のインクジェットインク組成物。
【請求項１２】
該反応性官能基の少なくとも一部分を転化する該ステップが、該エステル基の少なくとも一部分を脱アルキル化してアニオン化可能な基を生成することを含む請求項１１のインクジェットインク組成物。
【請求項１３】
該反応性官能基の少なくとも一部分を転化する該ステップが、該アニオン化可能な基を該アニオン性基に転化することをさらに含む請求項１２のインクジェットインク組成物。
【請求項１４】
該エステル基がｔ−ブチルエステル基であり、そして該アニオン性基が、カルボン酸の塩である請求項１１のインクジェットインク組成物。
【請求項１５】
該ポリマー改質顔料が、結合した少なくとも１つの移動可能な原子または基を有する顔料を含む請求項１のインクジェットインク組成物。
【請求項１６】
該改質顔料が、結合した少なくとも１つの移動可能でない原子または基をさらに有する顔料を含む請求項１５のインクジェットインク組成物。
【請求項１７】
ａ）ビークルおよびｂ）結合した少なくとも１つのポリマー基を有する顔料を含むポリマー改質顔料、を含むインクジェットインク組成物、
該ポリマー改質顔料は、改質顔料から少なくとも１つの重合性モノマーを重合させるステップを含む工程によって調製され、そして該ポリマー改質顔料は、インクジェットインク組成物中で約５００ｎｍ以下の平均粒子サイズを有する。
【請求項１８】
ａ）ビークルおよびｂ）結合した少なくとも１つのポリマー基を有する顔料を含むポリマー改質顔料、を含むインクジェットインク組成物、
該ポリマー改質顔料は、改質顔料から少なくとも１つの重合性モノマーを重合させるステップを含む工程によって調製され、そして該ポリマーは顔料１００部当たり約１０〜約１０００部の量で存在する。
【請求項１９】
ａ）ビークルおよびｂ）結合した少なくとも１つのポリマー基を有する顔料を含むポリマー改質顔料、を含むインクジェットインク組成物、
該ポリマー改質顔料は、改質顔料から少なくとも１つの重合性モノマーを重合させるステップを含む工程によって調製され、そして該ポリマー基が、ポリマー改質顔料１グラム当たりイオン性基約０.０５〜約４ミリモルの量で少なくとも１種のイオン性基を含む。
【手続補正書】
【提出日】平成21年2月20日(2009.2.20)
【手続補正１】
【補正対象書類名】特許請求の範囲
【補正対象項目名】全文
【補正方法】変更
【補正の内容】
【特許請求の範囲】
【請求項１】
a)少なくとも1種の親水性ポリマーと、
b)疎水性と親水性の繰り返し単位を有する少なくとも1種のポリマーまたはオリゴマーとの非付着性ブレンドを含む水膨潤性材料であって、水の存在下で、ブレンドが相分離し、かつ非混和性である材料。
【請求項２】
親水性ポリマーが、ポリ(ビニルアルコール)、ポリ(ヒドロキシエチルメタクリレート)、ポリ(ビニルピロリドン)、ポリ(エチレンイミン)、エトキシル化ポリ(エチレンイミン)、ポリ(アリルアミン)、ポリ(アクリルアミド)、ポリ(アクリル酸)、加水分解したポリ(アクリロニトリル)またはポリ(グリコール)を含む、請求項1に記載の水膨潤性材料。
【請求項３】
疎水性と親水性の繰り返し単位を有するポリマーまたはオリゴマーが、エチレンとビニルアルコールのコポリマー、スチレンとアリルアルコールのコポリマーまたはジオール末端ポリ(ヘキサメチレンフタレート)を含む、請求項1に記載の水膨潤性材料。
【請求項４】
ブレンドが、約5重量%〜95重量%のポリ(ビニルアルコール)と約5重量%〜95重量%の疎水性と親水性の繰り返し単位を有するポリマーまたはオリゴマーとを含む、請求項1に記載の水膨潤性材料。
【請求項５】
親水性の繰り返し単位の大部分が懸垂水酸基を含む、請求項1に記載の水膨潤性材料。
【請求項６】
ポリマーまたはオリゴマーが、-[CH2CH2-]の形態の疎水性繰り返し単位と-[CH2CH(OH)-]の形態の親水性繰り返し単位を有するコポリマーである、請求項1に記載の水膨潤性材料。
【請求項７】
可塑剤をさらに含み、前記可塑剤が、1つまたは複数のグリセリン、エチレングリコール、ピロピレングリコール、エタノール、テトラヒドロフラン、トルエン、ポリ(エチレングリコール)、ジメチルホルムアミド、ジメチルアセトアミド、アセトン、アセトニトリル、シクロヘキサン、シクロペンタン、1,4-ジオキサン、酢酸エチル、グリム、メチル-tert-ブチルエーテル、メチルエチルケトン、ピリジン、ジメチルスルホキシドまたは水である、請求項1に記載の水膨潤性材料。
【請求項８】
a)ポリ(ビニルアルコール)と、疎水性と親水性の繰り返し単位を有するポリマーとを含むポリマーのブレンドを、少なくとも少割合の水を含む適切な極性溶媒中に溶解して、混和性ブレンドを得る工程、および
b)混和性ブレンドを少なくとも部分的に物理的に架橋させて水膨潤性材料を得る工程
を含む水膨潤性材料の作製方法。
【請求項９】
ポリマーのブレンドを第2の溶媒と接触させて水膨潤性材料から極性溶媒を抽出する工程をさらに含む、請求項8に記載の方法。
【請求項１０】
第2の溶媒がエタノールである、請求項9に記載の方法。
【請求項１１】
混和性ブレンドの架橋方法が凍結-解凍法または溶媒交換法である、請求項8に記載の方法。
【請求項１２】
ブレンドが物理的に架橋されている、請求項1に記載の水膨潤性材料。
【手続補正書】
【提出日】平成21年2月23日(2009.2.23)
【手続補正１】
【補正対象書類名】特許請求の範囲
【補正対象項目名】全文
【補正方法】変更
【補正の内容】
【特許請求の範囲】
【請求項１】
熱伝達流体を提供するステップと、発熱源と熱伝達流体とを発熱源と流体の間の熱伝達をもたらすのに十分な時間接触させるステップとを含んでなる、熱を発熱源から熱伝達流体に移動させる方法であって、
前記熱伝達流体がポリトリメチレンエーテルグリコールまたはランダムポリトリメチレンエーテルエステルグリコール、またはそれらの混合物を含んでなることを特徴とする方法。
【請求項２】
熱伝達流体が、ポリトリメチレンエーテルグリコールまたはランダムポリトリメチレンエーテルエステルグリコールまたはそれらの混合物を含んでなることを特徴とする、熱伝達流体と接する対象物を含んでなる熱伝達系。
【手続補正２】
【補正対象書類名】明細書
【補正対象項目名】００５２
【補正方法】変更
【補正の内容】
【００５２】
前述の本発明の実施態様の開示は、例示および説明の目的のために提示される。網羅的であること、または開示される正確な形式に本発明を限定することは意図されない。開示を参照することで、本願明細書で述べられる実施態様の多くの変形および修正ができることは当業者には明らかである。
次に、本発明の好ましい態様を示す。
1.  熱伝達流体を提供するステップと、発熱源と熱伝達流体とを発熱源と流体の間の熱伝達をもたらすのに十分な時間接触させるステップとを含んでなる、熱を発熱源から熱伝達流体に移動させる方法であって、
前記熱伝達流体がポリトリメチレンエーテルグリコールまたはランダムポリトリメチレンエーテルエステルグリコール、またはそれらの混合物を含んでなることを特徴とする方法。
2.  前記熱伝達流体が、前記ポリトリメチレンエーテルグリコールを含んでなることを特徴とする、上記１に記載の方法。
3.  前記熱伝達流体が、前記ランダムポリトリメチレンエーテルエステルグリコールを含んでなることを特徴とする、上記１に記載の方法。
4.  前記ポリトリメチレンエーテルグリコールが、約１３０〜約１，５００の数平均分子量を有することを特徴とする、上記２に記載の方法。
5.  前記ランダムポリトリメチレンエーテルエステルグリコールが、約２００〜約１，５００の数平均分子量を有することを特徴とする、上記３に記載の方法。
6.  前記熱伝達流体が、約５０重量％〜１００重量％のポリトリメチレンエーテルグリコールまたはランダムポリトリメチレンエーテルエステルグリコールまたはそれらの混合物を含んでなることを特徴とする、上記１に記載の方法。
7.  前記熱伝達流体が、４０℃で約２５〜約５００センチストークの動粘度、および／または約３８℃で約０．１０〜約０．２１ワット／ｍ°Ｋの熱伝導率を有することを特徴とする、上記１に記載の方法。
8.  前記熱伝達流体が、熱伝達流体総重量を基準にして、約５０重量％〜９９．９重量％のポリトリメチレンエーテルグリコールまたはランダムポリトリメチレンエーテルエステルグリコールまたはそれらの混合物、および０．１重量％〜約５０重量％の水を含んでなることを特徴とする、上記１に記載の方法。
9.  前記ポリトリメチレンエーテルグリコールまたはランダムポリトリメチレンエーテルエステルグリコールが、再生可能な生物学的源を使用した発酵プロセスに由来する１，３−プロパンジオールから調製されることを特徴とする、上記１〜８のいずれか一項に記載の方法。
10.  前記熱伝達流体が、ポリトリメチレンエーテルグリコールまたはランダムポリトリメチレンエーテルエステルグリコールまたはそれらの混合物を含んでなることを特徴とする、熱伝達流体と接する対象物を含んでなる熱伝達系。
11.  自動車ラジエータ、工業熱交換器、熱回収ユニット、冷却ユニット、太陽電池パネル、冷却塔、変圧器、および加熱ラジエータからなる群から選択される、上記１０に記載の熱伝達系。
【手続補正書】
【提出日】平成21年3月2日(2009.3.2)
【手続補正１】
【補正対象書類名】特許請求の範囲
【補正対象項目名】全文
【補正方法】変更
【補正の内容】
【特許請求の範囲】
【請求項１】
遊離塩基又は医薬的に許容される酸付加塩状態のフリバンセリンの治療上有効量と、追加の抗精神病薬の治療上有効量とを含む、医薬組成物。
【請求項２】
前記追加の抗精神病薬が、5-HT1A作用薬、ドーパミンモジュレータ、ナトリウムチャンネル遮断剤、5-HT摂取阻害剤、D3拮抗薬、D2拮抗薬、D1拮抗薬、D1作用薬、セクレチン作用薬、ホスホリパーゼA2阻害剤、5-HT2拮抗薬、5-HT6拮抗薬、COX2阻害剤、5-HT2A拮抗薬、5-HT2cモジュレータ、NK3拮抗薬、α1アドレナリン受容体拮抗薬、α2アドレナリン受容体拮抗薬、AMPAモジュレータ、NK3拮抗薬からなる群から選択されることを特徴とする、請求項１記載の医薬組成物。
【請求項３】
前記追加の抗精神病薬がD2拮抗薬である、請求項１記載の医薬組成物。
【請求項４】
前記追加の抗精神病薬が、クロルプロマジン、チオリダジン、ハロペリドール、ペルフェナジン、チオチキセン、トリフルオペラジン、フルフェナジン、クロザピン、リスペリドン、オランザピン、クエチアピン、ピモジド、アリピプラゾール、ジプラシドン、ペロスピロン、ネモナプリド、セルチンドール、レボスルピリド、タンドスピロン、ビフェプルノックス、アセナピン、パリペリドン、ミフェプリストン、ラモトリギン、イロペリドン、ブロナンセリン、DU-125530、ルラシドン、ACP-103、イダゾキサン、Org-24448、CX-516、アプリドア（Aplindore）、SLV-313、SLV-310、オカペリドン、PNU-170413、POL-255、ABT-089、タルネタント、NE-100、LAX-101、LAX-111、RG-1068（セクレチン）、デクスエファロキサン、ジヒドレキシジン、SM-13496、D-セリン、オサネタント、EMR-62218、SB-399885、TC-1698、SR-147778、SLV-319、SSR-181507、AVE-5997、PNU-177864、アバペリドン（Abaperidone）、SSR-146977、ネボグラミン（Neboglamine）、ラミクタルXR、N-デスメチルクロザピン、トピラマート及びシクロセリンからなる群から選択されることを特徴とする、請求項１記載の医薬組成物。
【請求項５】
遊離塩基又は医薬的に許容される酸付加塩状態のフリバンセリンと前記追加の抗精神病薬とが、１つの剤形中に一緒に存在する請求項１記載の医薬組成物。
【請求項６】
遊離塩基又は医薬的に許容される酸付加塩状態のフリバンセリンと前記追加の抗精神病薬とが、それぞれ別々に各剤形中に存在する、請求項１記載の医薬組成物。
【請求項７】
遊離塩基又は医薬的に許容される酸付加塩状態のフリバンセリンが、水和物及び／又は溶媒和物であることを特徴とする、請求項１記載の医薬組成物。
【請求項８】
前記追加の抗精神病薬が、医薬的に許容される酸付加塩の状態であることを特徴とする、請求項１記載の医薬組成物。
【請求項９】
前記追加の抗精神病薬が、水和物及び／又は溶媒和物であることを特徴とする、請求項１記載の医薬組成物。
【請求項１０】
前記追加の抗精神病薬が、それぞれの光学異性体、個々の鏡像異性体の混合物又はラセミ体の状態であることを特徴とする、請求項１記載の医薬組成物。
【請求項１１】
統合失調症又は関連疾病の治療及び／又は予防用である、請求項１記載の医薬組成物。
【請求項１２】
前記統合失調症及び関連疾病が、破瓜型精神分裂症、緊張型精神分裂症、妄想型精神分裂症、鑑別不能型精神分裂症、残遺型精神分裂症、分裂情動障害、分裂病様障害、妄想性障害、短時間の精神障害、二人組精神障害、一般的病状に起因する精神障害、物質に誘導された精神障害及び特に指定のない精神障害からなる群から選択されることを特徴とする、請求項１１記載の医薬組成物。
【請求項１３】
統合失調症又は関連疾病の治療及び／又は予防用医薬組成物を製造するための、遊離塩基又は医薬的に許容される酸付加塩状態のフリバンセリンと追加の抗精神病薬との使用。
【手続補正書】
【提出日】平成21年2月18日(2009.2.18)
【手続補正１】
【補正対象書類名】特許請求の範囲
【補正対象項目名】全文
【補正方法】変更
【補正の内容】
【特許請求の範囲】
【請求項１】
以下：
【化１】
2008531713.tif 000001
の式を有する化合物、またはその薬学的に許容される塩、エスエル、溶媒和物、立体異性体、互変異性体もしくはプロドラッグであって、
式中、Ｒ１は、Ｃ（＝Ｏ）ＣＲ７Ｒ７ａＮＲ８Ｒ８ａであり、ビフェニルを含まず、式中、
Ｒ７およびＲ７ａは、独立して水素、天然もしくは非天然のアミノ酸の側鎖、アルキル、またはハロゲン、ヒドロキシ、アルコキシ、アルコキシアルコキシ、カルボキシル、カルボキシルエステル、−Ｃ（＝Ｏ）ＮＲ８Ｒ８ａ、−ＮＲ８Ｒ８ａ、アリール、置換アリール、ヘテロアリール、置換ヘテロアリール、メルカプト、またはチオアルコキシからなる群から選択される１以上の置換基で置換されたアルキルであるか、またはＲ７およびＲ７ａは、それらが結合している原子と一緒になってシクロアルキル環を形成し、該シクロアルキル環は、必要に応じて置換されたＯ、Ｎ、およびＳからなる群から選択されるヘテロ原子を必要に応じて含んでいてもよく；
Ｒ８およびＲ８ａは、独立して、水素および非置換または置換された、アルキル、アルケニル、シクロアルキル、シクロアルケニル、ヘテロシクロアルキル、アリール、アリールアルキル、アルキルアリール、およびヘテロアリールからなる群から選択され、該アリール、アルキルアリール、アリールアルキルまたはヘテロアリール基は、１以上の必要に応じて置換されたアリール、ヘテロアリール、または縮合環を必要に応じて含むか、またはＲ８およびＲ８ａは、それらが結合している原子と一緒になってシクロアルキル環を形成し、該シクロアルキル環は、必要に応じて、置換されたＯ、Ｎ、およびＳからなる群から選択されるヘテロ原子を必要に応じて含み；
Ｒ２は、
（１）ＯＨ、
（２）１−アダマンタンアミノ、
（３）２−アダマンタンアミノ、
（４）３−アミノ−１−アダマンタンアミノ、
（５）１−アミノ−３−アダマンタンアミノ、
（６）３−低級アルキルアミノ−１−アダマンタンアミノ、
（７）１−低級アルキルアミノ−３−アダマンタンアミノ、
（８）アミノ、
（９）ＮＲ９Ｒ９ａ（式中、Ｒ９およびＲ９ａは、独立して水素、低級アルキルまたは置換低級アルキルからなる群から選択される）
からなる群から選択されるか、または
Ｒ９およびＲ９ａは、それらが結合している原子と一緒になって３員から１０員のヘテロシクロアルキル環を形成し、該環は、
（ａ）ハロゲン、
（ｂ）ヒドロキシ、
（ｃ）Ｃ１−Ｃ３−アルコキシ、
（ｄ）Ｃ１−Ｃ３−アルコキシ−Ｃ１−Ｃ３−アルコキシ、
（ｅ）オキソ、
（ｆ）Ｃ１−Ｃ３−アルキル、
（ｇ）ハロ−Ｃ１−Ｃ３−アルキル、および
（ｈ）Ｃ１−Ｃ３−アルコキシ−Ｃ１−Ｃ３−アルキル
からなる群から独立して選択される１以上の置換基で必要に応じて置換されていてもよく；
Ｒ３は、水素およびアミノ低級アルキルからなる群から選択され、該アミノ低級アルキルのアミノ基は、非置換または置換されたアルキル、アルケニル、シクロアルキル、シクロアルケニル、アリール、アリールアルキル、アルキルアリール、アルコキシ、アリールオキシ、置換アルコキシ、および置換アリールオキシでさらに置換されている、
化合物。
【請求項２】
化合物Ｎ’−ｐ−Ｃ８Ｈ１７ＯＢｎＨＮＣＨ２ＣＯデスメチル−バンコマイシン。
【請求項３】
化合物Ｎ’−ｐ−Ｃ８Ｈ１７ＯＢｎＨＮＣＨ（ＣＨ３）ＣＯデスメチル−バンコマイシン。
【請求項４】
治療的有効量の請求項１記載の化合物を、薬学的に許容される担体と一緒に含む、医薬組成物。
【請求項５】
抗菌学的有効量の請求項１記載の化合物と薬学的に許容される担体とを含む、抗菌治療を必要とする哺乳動物の治療のための組成物。
【請求項６】
デスメチル−バンコマイシン骨格：
【化２】
2008531713.tif 000002
を、
（ａ）該化合物のアミノ置換糖部分におけるアミノ置換基の、構造−Ｃ（＝Ｏ）ＣＲ７Ｒ７ａＮＲ８Ｒ８ａを有するアシル基によるアシル化、
（ｂ）該化合物の大環状の環における酸部分の、Ｒ２によって定義される置換アミドによる変換；
（ｃ）（ａ）と（ｂ）との組み合わせ；
からなる群から選択される技術によって修飾し、式：
【化３】
2008531713.tif 000003
（式中、Ｒ１、Ｒ７、Ｒ７ａ、Ｒ８、およびＲ８ａは、本明細書で定義した意味を有する）
を有する化合物を形成させることを含む、請求項１記載の化合物の製造方法。
【手続補正書】
【提出日】平成21年1月13日(2009.1.13)
【手続補正１】
【補正対象書類名】明細書
【補正対象項目名】００４０
【補正方法】変更
【補正の内容】
【００４０】
特に好ましい方法において、Eudragit（登録商標）E 100をニコチンに溶解し、この活性物質溶液をプリンティング媒体として用いる。
ニコチンとEudragitの含量比は、１：１〜３：１であり、特に好ましくは、１．４：１から２．４：１である。
【手続補正書】
【提出日】平成21年2月27日(2009.2.27)
【手続補正１】
【補正対象書類名】特許請求の範囲
【補正対象項目名】全文
【補正方法】変更
【補正の内容】
【特許請求の範囲】
【請求項１】
有効量のアンタゴニスト分子を含有してなる癌の治療のための医薬であって、該アンタゴニストが、
q) 抗ＴＷＥＡＫ抗体；
r) 抗ＴＷＥＡＫレセプター抗体；
s) ＴＷＥＡＫレセプターイムノアドヘシン；及び
t) ＴＷＥＡＫレセプターの細胞内シグナル伝達をブロックする又は妨げる薬剤又は分子
からなる群から選択されるものである、医薬。
【請求項２】
前記哺乳動物の癌細胞が、化学療法剤、放射線、プロドラッグ、細胞障害性剤又は増殖阻害剤にも曝される、請求項１に記載の医薬。
【請求項３】
有効量のアンタゴニスト分子を含有してなる、哺乳動物のＴＨ２媒介性疾患の治療のための医薬であって、該アンタゴニストが、
cc) 抗ＴＷＥＡＫ抗体；
dd) 抗ＴＷＥＡＫレセプター抗体；
ee) ＴＷＥＡＫレセプターイムノアドヘシン；及び
ff) ＴＷＥＡＫレセプターの細胞内シグナル伝達をブロックする又は妨げる薬剤又は分子
からなる群から選択されるものである、医薬。
【請求項４】
前記ＴＨ２媒介性疾患がアレルギー又は喘息である、請求項３に記載の医薬。
【請求項５】
有効量のアゴニスト分子を含有してなる、免疫関連疾患の治療のための医薬であって、該アゴニストが、
a) 抗ＴＷＥＡＫレセプター抗体；
b) ＴＷＥＡＫポリペプチド；及び
c) ＴＷＥＡＫポリペプチド変異体
からなる群から選択されるものである、医薬。
【請求項６】
前記免疫関連疾患が自己免疫性疾患である、請求項５に記載の医薬。
【請求項７】
前記自己免疫性疾患が、クローン病、炎症性腸疾患、多発性硬化症又は関節炎である、請求項６に記載の医薬。
【請求項８】
前記ＴＷＥＡＫレセプターイムノアドヘシンが免疫グロブリンのＦｃ領域に融合したＴＷＥＡＫレセプター配列を含んでなる、請求項１又は３に記載の医薬。
【請求項９】
前記ＴＷＥＡＫレセプター配列がＦＮ１４レセプターの細胞外ドメイン配列を含んでなる、請求項８に記載の医薬。
【請求項１０】
前記抗ＴＷＥＡＫ抗体が、図１１(配列番号1)のアミノ酸９４−２４９を含んでなるヒトＴＷＥＡＫポリペプチドを結合する、請求項１又は３に記載の医薬。
【請求項１１】
前記抗ＴＷＥＡＫ抗体がキメラ抗体、ヒト化抗体又はヒト抗体である、請求項１０に記載の医薬。
【請求項１２】
前記抗ＴＷＥＡＫレセプター抗体が、図１２(配列番号2)のアミノ酸配列を含んでなるヒトＦＮ１４レセプターポリペプチドを結合する、請求項１又は３又は５に記載の医薬。
【請求項１３】
前記抗ＴＷＥＡＫレセプター抗体がキメラ抗体、ヒト化抗体又はヒト抗体である、請求項１２に記載の医薬。
【請求項１４】
有効量のアンタゴニスト分子を含有してなる、哺乳動物のＮＫ細胞活性を亢進するための薬剤であって、該アンタゴニストが、
u) 抗ＴＷＥＡＫ抗体；
v) 抗ＴＷＥＡＫレセプター抗体；
w) ＴＷＥＡＫレセプターイムノアドヘシン；及び
x) ＴＷＥＡＫレセプターの細胞内シグナル伝達をブロックする又は妨げる薬剤又は分子
からなる群から選択されるものである、薬剤。
【請求項１５】
有効量のアンタゴニスト分子を含有してなる、哺乳動物の先天性ＴＨ１応答又は活性を亢進するための薬剤であって、該アンタゴニストが、
y) 抗ＴＷＥＡＫ抗体；
z) 抗ＴＷＥＡＫレセプター抗体；
aa) ＴＷＥＡＫレセプターイムノアドヘシン；及び
bb) ＴＷＥＡＫレセプターの細胞内シグナル伝達をブロックする又は妨げる薬剤又は分子
からなる群から選択されるものである、薬剤。
【請求項１６】
前記ＴＷＥＡＫレセプターイムノアドヘシンが免疫グロブリンのＦｃ領域に融合したＴＷＥＡＫレセプター配列を含んでなる、請求項１４又は１５に記載の薬剤。
【請求項１７】
前記ＴＷＥＡＫレセプター配列がＦＮ１４レセプターの細胞外ドメイン配列を含んでなる、請求項１６に記載の薬剤。
【請求項１８】
前記抗ＴＷＥＡＫ抗体が、図１１(配列番号1)のアミノ酸９４−２４９を含んでなるヒトＴＷＥＡＫポリペプチドを結合する、請求項１４又は１５に記載の薬剤。
【請求項１９】
前記抗ＴＷＥＡＫ抗体がキメラ抗体、ヒト化抗体又はヒト抗体である、請求項１８に記載の薬剤。
【請求項２０】
前記抗ＴＷＥＡＫレセプター抗体が、図１２(配列番号2)のアミノ酸配列を含んでなるヒトＦＮ１４レセプターポリペプチドを結合する、請求項１４又は１５に記載の薬剤。
【請求項２１】
前記抗ＴＷＥＡＫレセプター抗体がキメラ抗体、ヒト化抗体又はヒト抗体である、請求項２０に記載の薬剤。
【手続補正書】
【提出日】平成21年2月23日(2009.2.23)
【手続補正１】
【補正対象書類名】特許請求の範囲
【補正対象項目名】全文
【補正方法】変更
【補正の内容】
【特許請求の範囲】
【請求項１】
ボツリヌス毒素と、
正に荷電した骨格と、
分散剤、オリゴ架橋及びポリアニオン架橋からなる群から選択される少なくとも１種と
を含む製剤であって、ボツリヌス毒素が、正に荷電した骨格と非共有結合性の複合体を形成している製剤。
【請求項２】
正に荷電した骨格が、さらに分岐基を含む請求項１に記載の製剤。
【請求項３】
正に荷電した骨格が、２１，０００未満の分子量を有する請求項１又は２に記載の製剤。
【請求項４】
正に荷電した骨格が、ポリリジン又はＰＥＩである請求項３に記載の製剤。
【請求項５】
分岐基が、保護されたオリゴアルギニン又はＴＡＴドメインのいずれかである請求項２に記載の製剤。
【請求項６】
粘度調節剤をさらに含む請求項１〜５のいずれかに記載の製剤。
【請求項７】
粘度調節剤が、ヒドロキシプロピルセルロース又はセタフィルのいずれかである請求項６に記載の製剤。
【請求項８】
請求項１〜７のいずれかに記載の製剤を含む、ボツリヌス毒素の経皮送達のためのキット。
【請求項９】
患者の皮膚の領域に塗布される請求項１〜７のいずれかに記載の製剤を含む、しわの治療剤。
【請求項１０】
患者の皮膚の領域に塗布される請求項１〜７のいずれかに記載の製剤を含む、多汗症の治療剤。
【請求項１１】
皮膚の領域が、顔、前頭部、首、手及び足からなる群から選択される請求項９に記載の治療剤。
【請求項１２】
皮膚の領域が、腋窩、前頭部、背部、胸部、手掌、手の遠位部、足の甲又は足の足底部から選択される請求項１０に記載の治療剤。
【手続補正書】
【提出日】平成21年2月3日(2009.2.3)
【手続補正１】
【補正対象書類名】特許請求の範囲
【補正対象項目名】全文
【補正方法】変更
【補正の内容】
【特許請求の範囲】
【請求項１】
固定装置と係合するための複数の空隙を含む融合ブロックインプラントであって、第１および第２の骨の境界面において嵌合するように構成され、さらにニチノールを含む、インプラント。
【請求項２】
前記ニチノールが、多孔性である、請求項１に記載のインプラント。
【請求項３】
前記インプラントが、多孔性ニチノールで被覆される、請求項１に記載のインプラント。
【請求項４】
前記ニチノールが、約２０％から約８０％の多孔率を有する、請求項２に記載のインプラント。
【請求項５】
前記ニチノールの多孔率が、約６５％である、請求項４に記載のインプラント。
【請求項６】
くさび状である骨切り術用インプラントであって、方向の矯正が必要な骨の第１の切断表面と第２の切断表面の間に嵌合するように構成され、かつニチノールを含む、インプラント。
【請求項７】
前記ニチノールが、多孔性である、請求項６に記載のインプラント。
【請求項８】
前記インプラントが、多孔性ニチノールで被覆される、請求項６に記載のインプラント。
【請求項９】
前記ニチノールが、約２０％から約８０％の多孔率を有する、請求項７に記載のインプラント。
【請求項１０】
前記ニチノールの前記多孔率が、約６５％である、請求項９に記載のインプラント。
【請求項１１】
円筒型であり、多孔性ニチノールを含む融合インプラント。
【請求項１２】
前記インプラントが、距骨下インプラントである、請求項１１に記載のインプラント。
【請求項１３】
前記インプラントが、距骨用インプラントである、請求項１１に記載のインプラント。
【請求項１４】
前記インプラントが、足の小さな骨のためのインプラントである、請求項１１に記載のインプラント。
【請求項１５】
前記インプラントが、多孔性ニチノールで被覆される、請求項１１に記載のインプラント。
【請求項１６】
前記ニチノールが、約２０％から約８０％の多孔率を有する、請求項１１に記載のインプラント。
【請求項１７】
前記ニチノールの前記多孔率が、約６５％である、請求項１６に記載のインプラント。
【請求項１８】
前記インプラントが、非ねじ込み式である、請求項１１に記載のインプラント。
【手続補正書】
【提出日】平成21年2月9日(2009.2.9)
【手続補正１】
【補正対象書類名】特許請求の範囲
【補正対象項目名】全文
【補正方法】変更
【補正の内容】
【特許請求の範囲】
【請求項１】
組み立てたときに密閉体積を画定する筐体ベースおよび筐体カバーを含むとともに入口ポートおよび出口ポートをさらに含む筐体を提供する工程と、
前記筐体ベース内にフィルタ材料の床を付着する工程であって、前記付着の前に前記筐体ベース内に第１の支持板を配置し、前記第１の支持板の主面が前記フィルタ材料に対向している工程と、
前記フィルタ材料の床の付着後に前記第１の支持板を変形する工程であって、変形後、前記フィルタ材料に対向する前記第１の板の前記主面が少なくとも１つの軸周囲に湾曲を有する工程と、
前記筐体ベースに前記筐体カバーを取り付ける工程であって、前記フィルタ材料の床は、ろ過される流体が前記入口ポート、前記フィルタ材料および前記出口ポートを通過するように前記筐体内に含まれる工程と、
を含むコンフォーマルフィルタカートリッジの製造方法にして、
筐体ベースに前記筐体カバーを取り付けた後、第１の支持板は、少なくとも１つの軸の周囲で湾曲を保持するようにした製造方法。
【請求項２】
入口および出口を含む筐体と、
ろ過される流体が前記入口、フィルタ材料および前記出口を通過するように前記筐体内に含まれるフィルタ材料の床と、
前記フィルタ材料の床と前記出口との間に配置され、少なくとも１つの軸周囲に湾曲を有する前記フィルタ材料の床に対向する主面を含む第１の支持板と、
前記フィルタ材料の床と前記入口との間に配置され、少なくとも１つの軸周囲に湾曲を有する前記フィルタ材料の床に対向する主面を含む第２の支持板と、を含み、
前記フィルタ材料の床の少なくとも一部が、前記第１の支持板と前記第２の支持板との間で残留圧縮下で保持されるコンフォーマルフィルタカートリッジにして、
第１の支持板と第２の支持板とフィルタ材料の床とが、全て、組み立て時に、前記筐体内で湾曲した形状に保持されるようにしたコンフォーマルフィルタカートリッジ。
【手続補正書】
【提出日】平成21年1月27日(2009.1.27)
【手続補正１】
【補正対象書類名】特許請求の範囲
【補正対象項目名】全文
【補正方法】変更
【補正の内容】
【特許請求の範囲】
【請求項１】
電気的に加熱可能な鏡であって、それが銀ベースの反射層とこの銀ベースの反射層を保護するトップコート塗料層により表面側の一つを被覆されたクリアなソーダ石灰ガラス板の板ガラス構造を含むものにおいて、その構造がその他方の表面側上を２５〜９０Ｗ／ｍ２を散逸するように適応された電導層により被覆されていることを特徴とする鏡。
【請求項２】
銀ベースの反射層とこの銀ベースの反射層を保護するトップコート塗料層により表面側の一つを被覆されたクリアなソーダ石灰ガラス板から本質的になる請求項１に記載の鏡において、ガラス板が他方の表面側を電導層により被覆されていることを特徴とする鏡。
【請求項３】
電導層が周辺雰囲気と直接接触する露出層であることを特徴とする請求項１及び２のいずれか一つに記載の鏡。
【請求項４】
標準光源Ｄ６５下に測定され、１０°の立体角でかつ４ｍｍの鏡厚に対して観察されたとき、８５〜９３％の光反射率を示すことを特徴とする請求項１から３のいずれか一つに記載の鏡。
【請求項５】
７９〜８５％の光反射率を示すことを特徴とする請求項４に記載の鏡。
【請求項６】
電導層が硬質の化学的かつ機械的に抵抗性のある層であることを特徴とする請求項１から５のいずれか一つに記載の鏡。
【請求項７】
硬質電導層が、５００〜７５０℃の温度でガラス表面上に付着された熱分解層であることを特徴とする請求項６に記載の鏡。
【請求項８】
硬質電導層が化学蒸着（ＣＶＤ）層であることを特徴とする請求項７に記載の鏡。
【請求項９】
硬質電導層が、Ｆ及び／またはＳｂでドーピングされたＳｎＯ２層から本質的になることを特徴とする請求項８に記載の鏡。
【請求項１０】
電導層が２５０〜５００ｎｍの厚さを持つことを特徴とする請求項６から９のいずれか一つに記載の鏡。
【請求項１１】
電導層で被覆されたガラス板を構成するガラスが、標準光源Ｄ６５下に測定され、１０°の立体角内でかつ４ｍｍのガラス厚に対して観察されたとき、８９．０〜９１．０％の光透過率Ｔｖを示すことを特徴とする請求項１から１０のいずれか一つに記載の鏡。
【請求項１２】
電導層で被覆されたガラス板を構成するガラスが、光の透過に無彩色を示すことを特徴とする請求項１から１１のいずれか一つに記載の鏡。
【請求項１３】
電導層で被覆されたガラス板を構成するガラスが、標準光源Ｄ６５下に測定され、１０°の立体角内でかつ４ｍｍのガラス厚に対して観察されたとき、光透過において次の色特性：
・  ９４．０＜Ｌ＊＜９５．０
・  −１．５＜ａ＊＜−０．３
・    ０．０＜ｂ＊＜０．５
を示すことを特徴とする請求項１２に記載の鏡。
【請求項１４】
標準光源Ｄ６５下に測定され、１０°の立体角内でかつ４ｍｍの鏡厚に対して観察されたとき、光反射において次の色特性：
・  ９１．０＜Ｌ＊＜９５．０
・  −２．５＜ａ＊＜−０．５
・    ４．０＜ｂ＊＜７．０
を示すことを特徴とする請求項１から１３のいずれか一つに記載の鏡。
【請求項１５】
１〜７％の色純度を持つことを特徴とする請求項１４に記載の鏡。
【請求項１６】
１０°の立体角内で観察されたとき、０．１〜１．５％の拡散反射率（Ｒｖｄ）を持つことを特徴とする請求項１から１５のいずれか一つに記載の鏡。
【請求項１７】
電導層が２０〜４０ｎｍの全表面粗さを持つことを特徴とする請求項１から１６のいずれか一つに記載の鏡。
【請求項１８】
電導層が５〜２０Ω／□の表面電気抵抗率を持つことを特徴とする請求項１から１７のいずれか一つに記載の鏡。
【請求項１９】
電導層が１３〜１７Ω／□の表面電気抵抗率を持つことを特徴とする請求項１から１８のいずれか一つに記載の鏡。
【請求項２０】
下塗り層が電導層とガラス表面の間に挿入されていることを特徴とする請求項１から１９のいずれか一つに記載の鏡。
【請求項２１】
電導層が機械的に研磨されることを特徴とする請求項１から２０のいずれか一つに記載の鏡。
【請求項２２】
電気的に加熱可能な層の二つの対向境界領域間に５〜６０Ｖ、好ましくは２０〜３０Ｖの電圧を付与することにより周辺雰囲気温度を少なくとも２℃越えるように鏡の露出表面を加熱するように適応された電気的に加熱可能な層を露出表面側に持つことを特徴とする防曇鏡。
【請求項２３】
電気的に加熱可能な層が２５〜９０Ｗ／ｍ２の表面電力を散逸するように適応されていることを特徴とする請求項２２に記載の防曇鏡。
【請求項２４】
浴室内で使用されることを特徴とする請求項２２及び２３のいずれか一つに記載の防曇鏡。